(57)【要約】【課題】  カラー現像機において、トナーの飛び散りを抑え、総トナー量を減少させる。【解決手段】  感光ドラム２個、中間転写体２個を備える多色用画像形成装置において、色のせ制御を行う。【選択図】  図１
2005338140.tif 000002
【特許請求の範囲】
【請求項１】
第１の像担持体と、複数の現像器を有し、これらのうちの１つを前記第１の像担持体の現像位置へ回転移動して現像する第１の移動体を備える第１の画像形成手段と、第２の像担持体と、複数の現像器を有し、これらのうちの１つを前記第２の像担持体の現像位置へ回転移動させて現像する第２の移動体を備える第２の画像形成手段と、
前記第１及び第２の像担持体上の表面を一様に帯電する第１及び第２の帯電手段と帯電された表面を露光し静電潜像を形成するための第１及び第２の露光手段と、第１および第２の像担持体上の前記静電潜像に帯電した現像剤を付着させることで可視像を形成する第１および第２の像形成手段と、
少なくとも２つの中間転写媒体と、
前記２つの中間転写媒体を離間、加圧する手段と、
前記第１および第２の像担持体から対応する前記中間転写媒体へ可視像を転写する第１および第２の転写手段を備え、
前記第１の中間転写媒体上に、対応する複数の像形成手段によるトナー像を前記転写手段により重ね合わせ転写し、同時に前記第２の中間転写媒体上に、対応する複数のトナー像形成手段によるトナー像を前記転写手段により重ね合わせ転写し、最終的に、前記第１の中間転写媒体上に第２の中間転写媒体上のトナー像を重ね合わせて転写することを特徴とする請求項１の画像形成装置。
【請求項２】
前記第１および第２の中間転写媒体を離間、加圧する手段は、前記第１の中間転写媒体の１箇所と前記第２の中間転写媒体の１箇所を密接させているローラであり、制御により離間、加圧による密接が可能なことを特徴とする請求項１〜２の画像形成装置。
【請求項３】
前記第１および第２の中間転写媒体上での最後のトナー像の形成を開始する場合に、前記加圧する手段を加圧させることを特徴とする請求項１〜４の画像形成装置。
【請求項４】
前記第１および第２の中間転写媒体上でのトナー像の形成を終了した後に、前記加圧する手段を加圧させることを特徴とする請求項１〜３の画像形成装置。
【請求項５】
前記第２の中間転写媒体上に形成されたトナー像を第１の中間転写媒体上へ転写する場合、第２の中間転写媒体上に形成されたトナー像を形成する色数が可変することを特徴とする請求項１〜４の画像形成装置。
【請求項６】
シアン、マゼンタ、イエロー、ブラックを表現する現像剤を使用して画像を形成することを特徴とする請求項１〜５の画像形成装置。
【請求項７】
濃色及び淡色現像剤を使用可能であることを特徴とする請求項１〜６の画像形成装置。
【請求項８】
前記第１および第２の中間転写媒体上での最後のトナー像の形成を開始する時、前記加圧する手段が加圧している場合は、イエロー、ブラック、マゼンタ、シアン、淡色マゼンタ、淡色シアンの順で、前記各中間転写媒体ごとに色載せ制御を行うことを特徴とする請求項１〜７の画像形成装置。
【請求項９】
前記加圧する手段が離間している場合は、第１の中間転写媒体上に、ブラック、シアン、淡色シアンの順で色載せし、同時に第２の中間転写媒体上にイエロー、マゼンタ、淡色マゼンタの順で色載せ制御した後に、加圧する手段により加圧し、ブラック＋シアン＋淡色シアン＋淡色マゼンタ＋イエロー＋マゼンタのトナー像を前記第１の中間転写媒体上に第２の中間転写媒体のトナー像を重ね合わせて転写することを特徴とする請求項１〜８の画像形成装置。
【請求項１０】
前記第１の移動体の現像器には、ブラック、シアン、淡色シアンを表現する現像剤が入っていることを特徴とする請求項１〜９の画像形成装置。
【請求項１１】
前記第２の移動体の現像器には、イエロー、マゼンタ、淡色マゼンタ、を表現する現像剤が入っていることを特徴とする請求項１〜１０の画像形成装置。
【発明の詳細な説明】
【技術分野】
【０００１】
本発明は、電子写真方式を用いて画像を形成する画像形成装置に関し、特に、複写機、プリンタ、ＦＡＸ、或いは、これら複数の機能を備えた複合機等の画像形成装置に関する。
【背景技術】
【０００２】
従来の四色画像形成装置に対して現像剤の色数を増やす電子写真方式の画像形成装置が提案・一部実現されている。それらは、従来の一般的なシアン（以下Ｙ）、マゼンタ（以下Ｍ）、イエロー（以下Ｙ）、ブラック（以下Ｋ）の４色に加え、例えば赤、青、緑や金、銀、蛍光色等の特色に対応するものや、インクジェット方式では一般的な淡いシアン（以下淡Ｃ）、淡いマゼンタ（以下淡Ｍ）などを加えるものなどさまざまであるが、目的はそれぞれ画質的に差別化することである。
【０００３】
現像剤の色数を増やした画像形成装置には、さまざまなタイプがあるが、例えば６種類の色の現像剤（トナー）を用いた画像形成装置のひとつとして、図１のような画像形成装置がある。
【０００４】
図１の画像形成装置は回転移動式の２つの感光ドラムを使用する装置であり、現像器と感光ドラムの数が同数である構成に比べ、画像形成装置サイズを小さくする且つ部品数が減ることにより低コスト化可能であり、又、感光ドラムが１個であり、そこに多数の現像器が対応する画像形成装置に比べ、画像の高速化が可能である。すなわち、高画質の画像を高速で提供できる安価で小型な画像形成装置として発明された装置である。
【０００５】
次に簡単に構成を説明すると、像担持体としての２個のドラム状の感光体（感光ドラム）、即ち第一の感光ドラム１ａ及び第二の感光ドラム１ｂは、各々図中矢印方向に回転自在に担持され、各々図中矢印Ａ方向に回転自在に担持され、それぞれの感光ドラム１ａ、１ｂの周りに、前露光ランプ１１ａ、１１ｂ、コロナ帯電器（帯電手段）２ａ、２ｂ、レーザー露光光学系である第一の露光手段３ａ、第二の露光手段３ｂ、電位センサー１２ａ、１２ｂ、回転式現像器保持部である移動体（現像ロータリー）４ａ、４ｂ及び各々の保持部に色の異なる現像剤を収容した３個の現像器４１〜４３及び４４〜４６、一次転写手段である一次転写ローラ５ａ、５ｂ、クリーニング器６ａ、６ｂを配置する。
【０００６】
次に画像形成時の動作を説明する。
【０００７】
まず、リーダ部３００より読み取られた原稿が露光手段であるレーザー露光光学系３ａ、３ｂにおいて、光信号に変換され、光信号のレーザー光Ｅが感光ドラム１ａ、１ｂ表面上に投影される。
【０００８】
画像形成時には、感光ドラム１ａ及び１ｂを矢印Ａ方向に回転させ、前露光ランプ１１ａ、１１ｂで除電した後の感光ドラム１ａ、１ｂを帯電器２ａ、２ｂにより一様に帯電させて、それぞれ分解色毎に光像Ｅを照射し、感光ドラム１ａ、１ｂ上に潜像を形成する。
【０００９】
次に移動体である回転式現像器保持部即ち第一の現像ロータリー４ａ、第二の現像ロータリー４ｂを回転させ、所定の現像器４１、４４を感光ドラム１ａ、１ｂ上の各現像器４１〜４３の間で、又は、現像器４４〜４６の間で共通の現像部４０ａ、４０ｂに移動させた後に現像器４１、４４を作動させて、感光ドラム１ａ、１ｂ上の静電潜像を反転現像し感光ドラム１ａ、１ｂ上にトナー像を形成する。このとき、現像器には現像バイアスが印加される。
【００１０】
それぞれの感光ドラム１ａ、１ｂ上に形成されたトナー像は、それぞれの一次転写手段である一次転写ローラ５ａ、５ｂによって、転写媒体としての中間転写体（中間転写ベルト）５上にトナー像が重ねて形成されるように順次一次転写される。このとき、一次転写ローラ５ａ、５ｂに一次転写バイアスが印加される。その結果、中間転写ベルト５上にそれぞれのトナー像が順次重ねられてフルカラートナー像が形成される。
【００１１】
その後、転写媒体である中間転写ベルト５上のフルカラートナー像は記録材としての用紙に一括して二次転写される。このとき、二次転写ローラ５４に二次転写バイアスが印加される。
【００１２】
又、中間転写ベルト５の上流側の駆動ローラ５１に対向した、転写クリーニング装置５０は、中間転写ベルト５上に必要色だけ画像を重ね終えた後に、対向する駆動ローラ５１に加圧され、記録材に転写した後の中間転写ベルト５上の残トナーをクリーニングする。クリーニング終了後、転写クリーニング装置５０は前記中間転写ベルト５より離間する。
【特許文献１】特開２００４−０２９０５６号公報
【発明の開示】
【発明が解決しようとする課題】
【００１３】
図１に示したカラー画像形成装置は、複数の色を転写する装置である。
【００１４】
従来の画像形成装置は所定の色の画像を形成するためには、現像器４１〜４６による形成色のトナー像を順次重ねていくものである。例えば４色だと４回中間転写媒体を回転させて４色分のトナーが載っている中間転写体上に転写していた。しかしこの方式でいくと、４回の１次転写の最中に飛び散りが発生していた。この問題を解決するためにさまざまな技術が考えられ、４色のカラー画像形成装置では有効的なものを使用していた。しかし６色になると６回中間転写媒体を回転させているため、飛び散りの発生率が多くなっている。現状、４色分の能力では対応しきれない状態となっていた。
【００１５】
また、回転数が増えるため、中間転写媒体の寿命が早くなる可能性があった。
【００１６】
したがって、本発明は上記課題に鑑みてなされたものであり、複数の画像形成ユニットと少なくとも２つの中間転写媒体を備える多色画像形成装置において、中間転写体上の１次転写の回数を少なくすることにより、上記の課題を解決することのできる画像形成装置を提供することを目的とするものである。
【課題を解決するための手段】
【００１７】
上記目的は本発明の画像形成装置にて達成される。
【００１８】
要約すれば、本発明は、第１の像担持体と、複数の現像器を有し、これらのうちの１つを第１の像担持体の現像位置へ回転移動して現像する第１の移動体を備える第１の画像形成手段と、第２の像担持体と、複数の現像器を有し、これらのうちの１つを第２の像担持体の現像位置へ回転移動させて現像する第２の移動体を備える第２の画像形成手段と、第１及び第２の像担持体上の表面を一様に帯電する第１及び第２の帯電手段と帯電された表面を露光し静電潜像を形成するための第１及び第２の露光手段と、第１および第２の像担持体上の静電潜像に帯電した現像剤を付着させることで可視像を形成する第１および第２の像形成手段と、少なくとも２つの中間転写媒体と、２つの中間転写媒体を離間、加圧する手段と、第１および第２の像担持体から対応する前記中間転写媒体へ可視像を転写する第１および第２の転写手段を備え、第１の中間転写媒体上に、対応する複数の像形成手段によるトナー像を転写手段により重ね合わせ転写し、同時に第２の中間転写媒体上に、対応する複数のトナー像形成手段によるトナー像を転写手段により重ね合わせ転写し、最終的に、第１の中間転写媒体上に第２の中間転写媒体上のトナー像を重ね合わせて転写することを特徴とする。また、第１および第２の中間転写媒体を離間、加圧する手段は、第１の中間転写媒体の１箇所と第２の中間転写媒体の１箇所を密接させているローラであり、制御により離間、加圧による密接が可能である。
【００１９】
第１および第２の中間転写媒体上での最後のトナー像の形成を開始する場合に、加圧する手段を加圧させ、第１および第２の中間転写媒体上でのトナー像の形成を終了した後に、加圧する手段を加圧させる。第２の中間転写媒体上に形成されたトナー像を第１の中間転写媒体上へ転写する場合、第２の中間転写媒体上に形成されたトナー像を形成する色数が可変する。
【００２０】
シアン、マゼンタ、イエロー、ブラックを表現する現像剤を使用して画像を形成する。
【００２１】
濃色及び淡色現像剤を使用可能である。
【００２２】
第１および第２の中間転写媒体上での最後のトナー像の形成を開始する時、加圧する手段が加圧している場合は、イエロー、ブラック、マゼンタ、シアン、淡色マゼンタ、淡色シアンの順で、各中間転写媒体ごとに色載せ制御を行い、加圧する手段が離間している場合は、第１の中間転写媒体上に、ブラック、シアン、淡色シアンの順で色載せし、同時に第２の中間転写媒体上にイエロー、マゼンタ、淡色マゼンタの順で色載せ制御した後に、加圧する手段により加圧し、ブラック＋シアン＋淡色シアン＋淡色マゼンタ＋イエロー＋マゼンタのトナー像を第１の中間転写媒体上に第２の中間転写媒体のトナー像を重ね合わせて転写する。
【００２３】
第１の移動体の現像器には、ブラック、シアン、淡色シアンを表現する現像剤が入っていて、第２の移動体の現像器には、イエロー、マゼンタ、淡色マゼンタ、を表現する現像剤が入っている画像形成装置を提供することである。
【発明の効果】
【００２４】
以上説明したように、本発明によれば、この発明の画像形成装置は、２つの像担持体と少なくとも２つの中間転写媒体を有し、６色のトナーを用いてフルカラー画像を形成するのに、要する中間転写ベルトの１次転写に必要な回転数を最大でも３色分にすることができる。これにより、４色のカラー画像形成装置で、飛び散りに有効的な技術をそのまま流用することができ（３色分なので）、トナーの飛び散りを抑え、画像品質の劣化を抑えることが出来る。また、新たに６色のカラー画像形成装置に対応する飛び散り防止策をする必要がないため、コストダウンができる。
【００２５】
さらに、中間転写体の耐久性という点でも優れていると言える。
【００２６】
また、画像形成に必要な所要時間を短縮することができる。
【００２７】
以上の効果をもった画像形成装置において、さらに、回転移動式の２つの感光ドラムを備えた画像形成装置に限定して使用することにより、特に、小型で高画質で安価な画像形成装置を提供することができる。
【発明を実施するための最良の形態】
【００２８】
以下、図面を参照して本発明の実施例を詳細に説明する。
【００２９】
図２には本発明実施例のフルカラー画像形成装置（複写機能、プリンタ機能、ＦＡＸ機能を併せ持つ複合機）の概略断面図を示す。本例は、上部にデジタルカラー画像リーダ部３００、下部にデジタルカラー画像プリンタ部１０１を有する。
【００３０】
ここでは、リーダ部３００からの信号に基づきプリンタ部１０１の動作を説明する。
【００３１】
プリンタ部１０１には、大きく分けて２部の画像形成部である第１ユニットと第２ユニットが配置されている。
【００３２】
図３はプリンタ部１０１の中の１０２の部分を拡大した図である。この図を用いて、第１ユニットと第２ユニットを詳しく説明する。
【００３３】
第１ユニットは、像担持体としてドラム状の感光体（感光ドラム）、即ち第一の感光ドラム１ａと回転式現像器保持部である移動体（現像ロータリー）４ａと、中間転写ベルト５Ａと前露光ランプ１１ａとコロナ帯電器（帯電手段）２ａと電位センサー１２ａと各々の保持部に色の異なる現像剤を収容した３個の現像器４１〜４３と、一次転写手段である一次転写ローラ５ａとクリーニング器６ａで構成されている。
【００３４】
第２ユニットは、像担持体としてドラム状の感光体（感光ドラム）、即ち第一の感光ドラム１ｂと回転式現像器保持部である移動体（現像ロータリー）４ｂと、中間転写ベルト５Ｂと前露光ランプ１１ｂとコロナ帯電器（帯電手段）２ｂと電位センサー１２ｂと各々の保持部に色の異なる現像剤を収容した３個の現像器４４〜４６と、一次転写手段である一次転写ローラ５ａとクリーニング器６ａで構成されている。
【００３５】
次に６個の現像器４１〜４６を用いる構成について説明する。
【００３６】
現像器には、４１には薄いＣトナー（淡Ｃのこと）、４２にはＣトナー、４３にはＫトナー、４４にはＹートナー、４５にはＭトナー、４６には薄いＭトナー（淡Ｍのこと）が装填されている。
【００３７】
ここで、濃色及び淡色現像剤は、分光特性が等しい顔料の量を変えて作成される。
【００３８】
従って、淡Ｍトナーは、含有する顔料の分光特性はマゼンタと等しいが含有量が少なく、淡Ｃトナーは、含有する顔料の分光特性はシアンと等しいが含有量が少ない。
【００３９】
ここで、マゼンタとシアンに対して濃い色と薄い色を用いたのは、人の肌のような淡い画像の再現性を飛躍的に向上させるのが狙いである。
【００４０】
さらに図２、図３を用いて動作を詳しく説明する。
【００４１】
露光手段であるレーザー露光光学系３ａ、３ｂにおいてリーダ部３００からの画像信号は、（図示しない）レーザー出力部にて光信号に変換され、光信号に変換されたレーザー光Ｅがポリゴンミラー（不図示）で反射され、レンズ（不図示）及び各反射ミラー（不図示）を経て感光ドラム１ａ、１ｂ表面上に投影される。
【００４２】
プリンタ部１００画像形成時には、第１ユニットでは、感光ドラム１ａを矢印Ａ方向に回転させ、前露光ランプ１１ａで除電した後の感光ドラム１ａを帯電器２ａにより一様に帯電させて、それぞれ分解色毎に光像Ｅを照射し、感光ドラム１ａ上に潜像を形成する。また、第２ユニットでは、感光ドラム１ｂを矢印Ｂ方向に回転させ、前露光ランプ１１ｂで除電した後の感光ドラム１ｂを帯電器２ｂにより一様に帯電させて、それぞれ分解色毎に光像Ｅを照射し、感光ドラム１ｂ上に潜像を形成する。
【００４３】
次に移動体である回転式現像器保持部即ち第一の現像ロータリー４ａ、第二の現像ロータリー４ｂを回転させ、所定の現像器４１、４４を感光ドラム１ａ、１ｂ上の各現像器４１〜４３の間で、又は、現像器４４〜４６の間で共通の現像部４０ａ、４０ｂに移動させた後に現像器４１、４４を作動させて、感光ドラム１ａ、１ｂ上の静電潜像を反転現像し感光ドラム１ａ、１ｂ上に現像剤像（トナー像）を形成する。
【００４４】
このとき、現像器には現像バイアスが印加される。
【００４５】
それぞれの感光ドラム１ａ、１ｂ上に形成されたトナー像は、それぞれの一次転写手段である一次転写ローラ５ａ、５ｂによって、転写媒体としての中間転写体（中間転写ベルト）５Ａ、５Ｂ上にトナー像が重ねて形成されるように順次一次転写される。このとき、一次転写ローラ５ａ、５ｂに一次転写バイアスが印加される。その結果、中間転写ベルト５Ａ、５Ｂ上にそれぞれのトナー像が順次重ねられてフルカラートナー像が形成される。
【００４６】
その後、転写媒体である中間転写ベルト５Ａ、５Ｂ上のフルカラートナー像は記録材としての用紙に一括して二次転写される。このとき、二次転写ローラ５４に二次転写バイアスが印加される。
【００４７】
転写方法については後で詳しく説明する。
【００４８】
中間転写ベルト５Ａ、５Ｂは駆動ローラ５１によって駆動され、中間転写ベルト５Ａ、５Ｂを挟んだ対向位置に転写クリーニング装置５０ａ  ５０ｂを駆動ローラ５１、５２に対して接離可能に構成する。
【００４９】
中間転写ベルト５Ａ、５Ｂが２つのローラ５１、５２によって張架されて形成された同一平面部分である転写面ｔ１に、感光ドラム１ａ、１ｂは、設けられており、これらの感光ドラム１ａ、１ｂとの中間転写ベルト５Ａ、５Ｂを挟んだ対向部に一次転写手段である一次転写ローラ５ａ、５ｃが設けられている。
【００５０】
又、この転写面ｔ１を形成するローラで第１ユニットの中間転写ベルト５Ａの移動方向Ｂ１（図中矢印の方向）の従動ローラ５ｂの対向には、ドラム１ａから転写された画像の位置ズレ及び濃度の検知を行うセンサー（図示なし）が配置されており、随時第１ユニットに画像濃度，トナー補給量，画像書き込みタイミング，及び画像書き込み開始位置等に対して補正をする制御を行っている。
【００５１】
さらに、この転写面ｔ２を形成するローラで第２ユニットの中間転写ベルト５Ｂの移動方向Ｄ１（図中矢印の方向）の従動ローラ５ｄの対向には、ドラム１ｂから転写された画像の位置ズレ及び濃度の検知を行うセンサー（図示なし）が配置されており、随時第２ユニットに画像濃度，トナー補給量，画像書き込みタイミング，及び画像書き込み開始位置等に対して補正をする制御を行っている。
【００５２】
転写クリーニング装置５０ａ、５０ｂは、中間転写ベルト５Ａ、５Ｂ上に必要色だけ画像を重ね終えた後に、対向する駆動ローラ５１、５２に加圧され、記録材に転写した後の中間転写ベルト５Ａ、５Ｂ上の残トナーをクリーニングする。クリーニング終了後、転写クリーニング装置５０ａ、５０ｂは前記中間転写ベルト５Ａ、５Ｂより離間する。
【００５３】
一方記録材は各収納部７１〜７２より１枚ずつ搬送され、所望のタイミングにて中間転写ベルト５Ａ上のトナー像を記録材に転写する二次転写手段である二次転写ローラ５４と中間転写ベルト５Ａとの間の二次転写部に搬送される。
【００５４】
二次転写部にて記録材上にトナー像が転写され、記録材は搬送部８６を通り、熱ローラ定着器９にてトナー像を定着され、排紙トレイ（不図示）或いは用紙後処理装置（不図示）に排紙される。他方、二次転写後の中間転写ベルト５Ａは、前述のように転写残トナーを転写クリーニング装置５０ａにてクリーニングされ、再び各画像形成部第１ユニット、第２ユニットの一次転写工程に供する。
【００５５】
次に転写する方法について、図４のフローチャートを参照して詳細に説明する。
【００５６】
制御信号により、分解色毎に光像Ｅを受けて、感光ドラム１ａ上にトナー像の形成を開始する。（Ｓ１００）
次に、中間転写体間ローラＲ１、Ｒ２が加圧しているかどうかの確認を行う。（Ｓ１０１）
加圧信号を受け取った場合は、第１ユニットと第２ユニットが交互に動作しユニット毎にトナーを載せていく。（Ｓ１０２後で詳しく述べる）
次に、すべてのトナー像を載せたら、終了信号を送り中間転写体間ローラＲ１、Ｒ２の離間の制御を行う。（Ｓ１０７）
また、Ｓ１０１において、離間信号を受け取った場合は、まず第１のユニットの中間転写体５ＡにＫ、Ｃ、淡Ｃトナー像を順番に載せていく。次に第２のユニットの中間転写体５ＢにＹ、Ｍ、淡Ｍトナー像を順番に載せていく。（Ｓ１０３後で詳しく述べる）
次に、ＣＰＵ（不図示）の制御により最後のトナー像形成かどうかの確認を行う。（Ｓ１０４）
ＹＥＳ信号を受け取った場合は、中間転写体間ローラＲ１、Ｒ２を加圧させる。（Ｓ１０５）
また  ＮＯ信号の場合は、もう一度トナー像形成にもどる。（Ｓ１０３）
次に、中間転写体間ローラＲ１、Ｒ２の加圧されたら、第１のユニットの中間転写体５Ａに第２のユニットの中間転写体５Ｂのトナー像を重ね合わせ、最終的に、中間転写体５Ａにすべてのトナー像が転写される。（Ｓ１０６）
次に、中間転写体５Ａにすべてのトナー像が転写されたら、中間転写体間ローラＲ１、Ｒ２を離間する。（Ｓ１０７）
トナー像形成を終了する。（Ｓ１０８）
また、すべての制御は、本発明の画像形成装置の制御回路（不図示）内のＣＰＵ（不図示）によって行われている。
【００５７】
次にＳ１０２の制御について図５のフローチャートを用いて詳しく述べる。
【００５８】
まず、第２ユニットでＹトナー像を載せて中間転写体５Ｂに転写する。（Ｓ２０１）
次に中間転写体５Ｂから中間転写体５Ａへ中間転写体間ローラＲ１、Ｒ２を経てＹトナー像を転写する。（Ｓ２０２）
次に、第１ユニットにおいて、Ｋトナー像を載せて中間転写体５Ａに転写する。（Ｓ２０３）
次に、第２ユニットにおいて、Ｍトナー像を載せて中間転写体５Ｂに転写する。（Ｓ２０４）
次に中間転写体５Ｂから中間転写体５Ａへ中間転写体間ローラＲ１、Ｒ２を経てＭトナー像転写する。（Ｓ２０５）
次に、第１ユニットにおいて、Ｃトナー像を載せて中間転写体５Ａに転写する。（Ｓ２０６）
次に、第２ユニットにおいて、淡Ｍトナー像を載せて中間転写体５Ｂに転写する。（Ｓ２０７）
次に、中間転写体５Ｂから中間転写体５Ａへ中間転写体間ローラＲ１、Ｒ２を経て淡Ｍトナー像転写する。（Ｓ２０５）
次に、第１ユニットにおいて、淡Ｃトナー像を載せて中間転写体５Ａに転写する。（Ｓ２０６）
すべての色のトナー像が中間転写体５Ａに転写されている。（Ｓ２１０）
中間転写体間ローラＲ１、Ｒ２を離間する。（Ｓ１０７）
二次転写手段の制御を行う。（Ｓ２１２）
次に、Ｓ１０３の制御について図６のフローチャートを用いて詳しく述べる。
【００５９】
まず、第１ユニットにおいて、Ｋトナー像を載せて（Ｓ５０１）中間転写体５Ａに転写する。（Ｓ５０２）
次に、Ｃトナー像を載せて（Ｓ５０３）中間転写体５Ａに転写する。（Ｓ５０２）
次に、淡Ｃトナー像を載せて（Ｓ５０５）中間転写体５Ａに転写する。（Ｓ５０２）
以上の動作と同時に、第２ユニットにおいて、Ｙトナー像を載せて（Ｓ６０１）中間転写体５Ｂに転写する。（Ｓ６０２）
次に、Ｍトナー像を載せて（Ｓ６０３）中間転写体５Ｂに転写する。（Ｓ６０２）
次に、淡Ｍトナー像を載せて（Ｓ６０４）中間転写体５Ｂに転写する。（Ｓ６０２）
次に中間転写体間ローラＲ１、Ｒ２の加圧する。（Ｓ１０５）
次に、中間転写体５Ａに中間転写体５Ｂのトナー像をＫ＋Ｃ＋淡Ｃ＋淡Ｍ＋Ｍ＋Ｙの順で重ね合わせて転写する。（Ｓ１０６）
最終的に中間転写体５Ａにすべてのトナー像が転写される。（Ｓ４０１）
中間転写体間ローラＲ１、Ｒ２を離間する。（Ｓ１０７）
二次転写手段の制御を行う。（Ｓ２１２）
以上のように本実施例では中間転写体を２個使用する構成を用いて画像形成部第１のユニット、第２のユニットにより、感光ドラム１ａ、１ｂ上に形成されたトナー像を中間転写ベルト５Ａ，５Ｂに対し、重ね転写し、最終的に中間転写ベルト５Ａにすべての色を重ね転写する。そのため、中間転写ベルト５Ａ，５Ｂがそれぞれの１次転写部を３度通過すれば良い構成となっている。
【００６０】
そのため、図１に示す画像形成装置１０１に比べ、６色のトナーを用いてフルカラー画像を形成するのに、要する中間転写ベルトの１次転写に必要な回転数を最大でも３色分にすることができる。
【００６１】
また、中間転写間ローラが離間している場合は、第１ユニットと第２ユニットで同時に転写することが可能なため、転写時間を短くすることができ、最終的には、画像形成するための所要時間を短縮することができる。
【図面の簡単な説明】
【００６２】
【図１】従来例に係る画像形成装置を示す概略構成図である。
【図２】本発明の画像形成装置を説明するための図である。
【図３】本発明のトナー像形成方法をよりくわしく説明するための図である。
【図４】本発明のトナー像形成方法を説明するためのフローチャートである。
【図５】本発明のトナー像形成方法の制御の流れを説明するための図である。
【図６】本発明のトナー像形成方法の制御の流れを説明するための図である。
【符号の説明】
【００６３】
１ａ  第一の感光ドラム（像担持体）
１ｂ  第二の感光ドラム（像担持体）
３ａ、３ｂ  レーザー露光光学系（露光手段）
４ａ  第一の現像ロータリー（移動体）
４ｂ  第二の現像ロータリー（移動体）
５Ａ  第一の中間転写ベルト（転写媒体）
５Ｂ  第二の中間転写ベルト（転写媒体）
Ｒ１  第一の中間転写間ローラ
Ｒ２  第二の中間転写間ローラ
４０ａ、４０ｂ  現像部
４１〜４６  現像器
第１ユニット  第一の画像形成部
第２ユニット  第二の画像形成部
【図１】
2005338140.tif 000003
【図２】
2005338140.tif 000004
【図３】
2005338140.tif 000005
【図４】
2005338140.tif 000006
【図５】
2005338140.tif 000007
【図６】
2005338140.tif 000008